(57)【要約】【課題】従来機種や他メーカ品との間ではファクシミリ通信規約に従う従来通りのファクシミリ通信機能を確保しつつ、独自モードとして大サイズ等倍通信機能が設定された機種間ではＡ２サイズのような規約外サイズ原稿であっても、通常通りの操作でその送信画像全体に関してそのまま等倍処理が可能なファクシミリ装置を提供する。【解決手段】ファクシミリ通信規約で定められた規約最大サイズ幅を超える原稿幅の規約外サイズ原稿であっても（Ｓ１のＹ，Ｓ２）、独自モードとして大サイズ等倍通信機能が設定された機種同士であれば、送信先が当該大サイズ等倍通信機能を有することを識別情報である非標準機能識別信号ＮＳＦを利用して確認することで（Ｓ４のＹ、又は、Ｓ６のＹ）、大サイズ原稿であることを意識した特別な操作を要せず通常サイズの原稿の場合と同様の操作のみで、等倍サイズのまま画像データを送信させる（Ｓ５）ことが可能となる。【選択図】　　　　図５
2004032498.tif 000002
【特許請求の範囲】
【請求項１】
ファクシミリ通信規約で定められた規約最大サイズ幅を超える原稿幅の規約外サイズ原稿の読取り可能なスキャナと、
前記規約外サイズ原稿に対応する規約外サイズ記録紙に対して記録可能なプリンタと、
前記スキャナにより読取られた原稿の画像データに基づき送信先ファクシミリ装置に対して送信するための符号化データを作成する符号化手段と、
ファクシミリ送信に際して送信先ファクシミリ装置から送信されてくる識別情報に基づき当該送信先ファクシミリ装置に前記規約外サイズ原稿に対する大サイズ等倍通信機能があるか否かを判定する相手機能力判定手段と、
ファクシミリ送信に際して読取り原稿の原稿幅を判定する原稿幅判定手段と、前記規約外サイズ原稿の読取りによるファクシミリ送信に際して前記相手機能力判定手段により当該規約外サイズ原稿に対する大サイズ等倍通信機能があると判定された場合には前記符号化手段により作成された符号化データを等倍サイズのまま送信先ファクシミリ装置に対して送信させる大サイズ等倍送信手段と、
を備えるファクシミリ装置。
【請求項２】
前記識別情報は、非標準機能識別信号ＮＳＦ（Ｎｏｎ−Ｓｔａｎｄａｒｄ
Ｆａｃｉｌｉｔｉｅｓ）である請求項１記載のファクシミリ装置。
【請求項３】
ファクシミリ送信に際して送信元ファクシミリ装置に対して送信した識別情報に基づき当該送信元ファクシミリ装置において前記規約外サイズ原稿に対する大サイズ等倍通信機能があると判定されて前記大サイズ等倍送信手段により送信された等倍サイズの符号化データを受信した場合には当該規約外サイズ原稿に対応するサイズ以上の規約外サイズ記録紙を選択する記録紙選択手段と、
この記録紙選択手段により選択された規約外サイズ記録紙に対して受信した符号化データに基づき前記プリンタに等倍サイズのまま印刷を行わせる大サイズ等倍印刷手段と、
を備える請求項１又は２記載のファクシミリ装置。
【請求項４】
前記相手機能力判定手段は、当該送信先ファクシミリ装置においてセットされる記録紙に関するユーザ設定の記録紙情報を通信プロトコルを通じて参照して大サイズ等倍通信機能が有効か否かを判定する請求項１ないし３の何れか一記載のファクシミリ装置。
【請求項５】
前記相手機能力判定手段は、前記識別情報に基づき大サイズ等倍通信機能があると判定しても、記録紙情報として規約外サイズ記録紙のセットがユーザ設定されていない記録紙情報を受信した場合には当該大サイズ等倍通信機能を無効と見倣す請求項４記載のファクシミリ装置。
【請求項６】
前記相手機能力判定手段は、前記識別情報に基づき大サイズ等倍通信機能があると判定しても、記録紙情報として規約外サイズ記録紙のセットがユーザ設定されている記録紙情報を受信した場合において、当該規約外サイズ記録紙の紙なし発生時には紙なし発生に対するユーザ設定による記録紙情報に応じて大サイズ等倍通信機能を有効又は無効と見倣す請求項４又は５記載のファクシミリ装置。
【請求項７】
前記スキャナにより読取られた画像データを縮小する画像データ縮小手段と、
前記規約外サイズ原稿の読取りによるファクシミリ送信に際して前記相手機能力判定手段により当該規約外サイズ原稿に対する大サイズ等倍通信機能がないと判定された場合にはファクシミリ通信規約で定められた規約最大サイズ幅以下となるように前記画像データを前記画像データ縮小手段により縮小して前記符号化手段により作成された符号化データを送信先ファクシミリ装置に対して送信させる大サイズ縮小送信手段と、
を備える請求項１ないし６の何れか一記載のファクシミリ装置。
【請求項８】
ファクシミリ通信規約で定められた規約最大サイズ幅がＡ３サイズ幅であり、規約最大サイズ幅を超える規約外サイズがＢ３サイズ又はＡ２サイズである請求項１ないし７の何れか一記載のファクシミリ装置。
【請求項９】
ファクシミリ通信規約で定められた規約最大サイズ幅を超える原稿幅の規約外サイズ原稿の読取り可能なスキャナと、前記規約外サイズ原稿に対応する規約外サイズ記録紙に対して記録可能なプリンタと、前記スキャナにより読取られた原稿の画像データに基づき送信先ファクシミリ装置に対して送信するための符号化データを作成する符号化手段とを有するファクシミリ装置が備えるコンピュータにインストールされ、前記コンピュータに、
ファクシミリ送信に際して送信先ファクシミリ装置から送信されてくる識別情報に基づき当該送信先ファクシミリ装置に前記規約外サイズ原稿に対する大サイズ等倍通信機能があるか否かを判定する相手機能力判定機能と、
ファクシミリ送信に際して読取り原稿の原稿幅を判定する原稿幅判定機能と、前記規約外サイズ原稿の読取りによるファクシミリ送信に際して前記相手機能力判定機能により当該規約外サイズ原稿に対する大サイズ等倍通信機能があると判定された場合には前記符号化手段により作成された符号化データを等倍サイズのまま送信先ファクシミリ装置に対して送信させる大サイズ等倍送信機能と、
を実行させるプログラム。
【請求項１０】
前記識別情報は、非標準機能識別信号ＮＳＦ（Ｎｏｎ−Ｓｔａｎｄａｒｄ　Ｆａｃｉｌｉｔｉｅｓ）である請求項９記載のプログラム。
【請求項１１】
ファクシミリ送信に際して送信元ファクシミリ装置に対して送信した識別情報に基づき当該送信元ファクシミリ装置において前記規約外サイズ原稿に対する大サイズ等倍通信機能があると判定されて前記大サイズ等倍送信機能により送信された等倍サイズの符号化データを受信した場合には当該規約外サイズ原稿に対応するサイズ以上の規約外サイズ記録紙を選択させる記録紙選択機能と、
この記録紙選択機能により選択された規約外サイズ記録紙に対して受信した符号化データに基づき前記プリンタに等倍サイズのまま印刷を行わせる大サイズ等倍印刷機能と、
を備える請求項９又は１０記載のプログラム。
【請求項１２】
前記相手機能力判定機能は、当該送信先ファクシミリ装置においてセットされる記録紙に関するユーザ設定の記録紙情報を通信プロトコルを通じて参照して規約外サイズ原稿に対する大サイズ等倍通信機能が有効か否かを判定する請求項９ないし１１の何れか一記載のプログラム。
【請求項１３】
前記相手機能力判定機能は、前記識別情報に基づき大サイズ等倍通信機能があると判定しても、記録紙情報として規約外サイズ記録紙のセットがユーザ設定されていない記録紙情報を受信した場合には当該大サイズ等倍通信機能を無効と見倣す請求項１２記載のプログラム。
【請求項１４】
前記相手機能力判定機能は、前記識別情報に基づき大サイズ等倍通信機能があると判定しても、記録紙情報として規約外サイズ記録紙のセットがユーザ設定されている記録紙情報を受信した場合において、当該規約外サイズ記録紙の紙なし発生時には紙なし発生に対するユーザ設定による記録紙情報に応じて大サイズ等倍通信機能を有効又は無効と見倣す請求項１２又は１３記載のプログラム。
【請求項１５】
前記規約外サイズ原稿の読取りによるファクシミリ送信に際して前記相手機能力判定機能により当該規約外サイズ原稿に対する大サイズ等倍通信機能がないと判定された場合にはファクシミリ通信規約で定められた規約最大サイズ幅以下となるように前記画像データを画像データ縮小手段により縮小させて前記符号化手段により作成された符号化データを送信先ファクシミリ装置に対して送信させる大サイズ縮小送信機能を前記コンピュータに実行させる請求項９ないし１４の何れか一記載のプログラム。
【請求項１６】
請求項９ないし１５の何れか一記載のプログラムを格納したコンピュータ読取り可能な記憶媒体。
【発明の詳細な説明】
【０００１】
【発明の属する技術分野】
本発明は、ファクシミリ装置、プログラム及び記憶媒体に関する。
【０００２】
【従来の技術】
一般に、ファクシミリ装置で画像データを送信する場合の送信側の原稿サイズ（主走査方向の原稿幅）や受信側の記録紙サイズは、ＣＣＩＴＴ（国際電信電話諮問委員会）勧告のファクシミリ通信規約で定められたサイズに従うことを前提としている。現状では、例えば、ＣＣＩＴＴ　Ｔ３０によれば、規約最大サイズ幅としてＡ３サイズが定められている。この結果、例えば、Ａ３サイズ幅、Ｂ４サイズ幅、Ａ４サイズ幅の場合であれば、基本的には、送受信側で等倍のまま画像データ処理が可能とされている。
【０００３】
【発明が解決しようとする課題】
ところが、例えばＡ２サイズの如く、Ａ３サイズ幅を超えるような規約外サイズ原稿を扱う場合には、スキャナにおいてそのサイズ幅の読取りが可能であっても、ファクシミリ通信としては現状の通信規約に従う処理となってしまう。即ち、現状では、送信先（受信機側）の通信能力に合わせて無条件に送信側画像全体のイメージデータを分割させて規約最大サイズ幅以下の画像データとして送信させたり、或いは、規約最大サイズ幅よりも外側に存在する画像データに関しては無条件に切り捨てることで残った規約最大サイズ幅内の画像データのみを等倍サイズで送信させたり、さらには、無条件に送信側画像全体のイメージデータを規約最大サイズ幅以下となるサイズに縮小して送信させたりしている。
【０００４】
この結果、規約外サイズ原稿に関しては、送信画像全体が送信されない、等倍サイズで送信されない等、送信原稿の画像を忠実に送信先に伝えることができない現状にある。特に、設計図面等のようにＡ２サイズの如き大きな用紙を送信原稿として扱いたい業種では、このようなファクシミリ送信によって無条件に画像データが分割されたり画像データの一部が欠けたり縮小されてしまうと、送信先では分割印刷、欠損印刷或いは縮小印刷なる印刷結果となり、微細な部分が見え難い等、図面としての意味が半減してしまう等の不具合があり、結局、ファクシミリ送信には適さない原稿となってしまう。
【０００５】
本発明は、従来機種や他メーカ品との間ではファクシミリ通信規約に従う従来通りのファクシミリ通信機能を確保しつつ、独自モードとして大サイズ等倍通信機能が設定された機種間ではＡ２サイズのような規約外サイズ原稿であっても、通常通りの操作でその送信画像全体に関してそのまま等倍処理が可能なファクシミリ装置を提供することを目的とする。
【０００６】
本発明は、上記目的を実現する上で、独自モードが設定されている機種であっても、その独自モードの機能を発揮できない状況や、その独自モードの機能を必要としない場合に対して適正に対処できるファクシミリ装置を提供する。
【０００７】
【課題を解決するための手段】
請求項１記載の発明のファクシミリ装置は、ファクシミリ通信規約で定められた規約最大サイズ幅を超える原稿幅の規約外サイズ原稿の読取り可能なスキャナと、前記規約外サイズ原稿に対応する規約外サイズ記録紙に対して記録可能なプリンタと、前記スキャナにより読取られた原稿の画像データに基づき送信先ファクシミリ装置に対して送信するための符号化データを作成する符号化手段と、ファクシミリ送信に際して送信先ファクシミリ装置から送信されてくる識別情報に基づき当該送信先ファクシミリ装置に前記規約外サイズ原稿に対する大サイズ等倍通信機能があるか否かを判定する相手機能力判定手段と、ファクシミリ送信に際して読取り原稿の原稿幅を判定する原稿幅判定手段と、前記規約外サイズ原稿の読取りによるファクシミリ送信に際して前記相手機能力判定手段により当該規約外サイズ原稿に対する大サイズ等倍通信機能があると判定された場合には前記符号化手段により作成された符号化データを等倍サイズのまま送信先ファクシミリ装置に対して送信させる大サイズ等倍送信手段と、を備える。
【０００８】
従って、ファクシミリ通信規約で定められた規約最大サイズ幅を超える原稿幅の規約外サイズ原稿であっても、独自モードとして大サイズ等倍通信機能が設定された機種同士であれば、送信先が当該大サイズ等倍通信機能を有することを識別情報を利用して相手機能力判定手段により確認することで、大サイズ原稿であることを意識した特別な操作を要せず通常サイズの原稿の場合と同様の操作のみで、等倍サイズのまま画像データを送信させることが可能となる。
【０００９】
請求項２記載の発明は、請求項１記載のファクシミリ装置において、前記識別情報は、非標準機能識別信号ＮＳＦ（Ｎｏｎ−Ｓｔａｎｄａｒｄ　Ｆａｃｉｌｉｔｉｅｓ）である。
【００１０】
従って、独自モードに関してはＣＣＩＴＴ　Ｔ３０に基づき非標準機能識別信号ＮＳＦを利用して送信先ファクシミリ装置が大サイズ等倍通信機能を有するか否かを確認しているので、従来機種や他メーカ機種のように独自モードを有しない機種との間では大サイズ等倍通信機能は不可能であっても通常通り標準のデジタル識別信号ＤＩＳ（Ｄｉｇｉｔａｌ　Ｉｄｅｎｔｉｆｉｃａｔｉｏｎ　Ｓｉｇｎａｌ）に基づくファクシミリ送受信が可能となる。
【００１１】
請求項３記載の発明は、請求項１又は２記載のファクシミリ装置において、ファクシミリ送信に際して送信元ファクシミリ装置に対して送信した識別情報に基づき当該送信元ファクシミリ装置において前記規約外サイズ原稿に対する大サイズ等倍通信機能があると判定されて前記大サイズ等倍送信手段により送信された等倍サイズの符号化データを受信した場合には当該規約外サイズ原稿に対応するサイズ以上の規約外サイズ記録紙を選択する記録紙選択手段と、この記録紙選択手段により選択された規約外サイズ記録紙に対して受信した符号化データに基づき前記プリンタに等倍サイズのまま印刷を行わせる大サイズ等倍印刷手段と、を備える。
【００１２】
従って、独自モードとして大サイズ等倍通信機能が設定された機種同士であれば、ファクシミリ通信規約で定められた規約最大サイズ幅を超える原稿幅の規約外サイズ原稿対応の等倍サイズのデータを受信した場合には、対応するサイズの規約外サイズ記録紙上に等倍サイズのまま印刷を行わせることで、画像分割や画像欠落や画像縮小がなく、送信原稿の内容を忠実に再現することができる。
【００１３】
請求項４記載の発明は、請求項１ないし３の何れか一記載のファクシミリ装置において、前記相手機能力判定手段は、当該送信先ファクシミリ装置においてセットされる記録紙に関するユーザ設定の記録紙情報を通信プロトコルを通じて参照して大サイズ等倍通信機能が有効か否かを判定する。
【００１４】
従って、ファクシミリ装置が独自モードの設定により大サイズ等倍通信機能を有していても、ユーザによっては当該大サイズ等倍通信機能を必要とせず、元々、対応する規約外サイズ記録紙をセットしていないようなケースもあるが、このような状況を記録紙に関するユーザ設定の記録紙情報として参照して大サイズ等倍通信機能が有効か否かを判定することで、識別情報のみによる場合よりも実使用に応じた対応が採れることとなる。
【００１５】
請求項５記載の発明は、請求項４記載のファクシミリ装置において、前記相手機能力判定手段は、前記識別情報に基づき大サイズ等倍通信機能があると判定しても、記録紙情報として規約外サイズ記録紙のセットがユーザ設定されていない記録紙情報を受信した場合には当該大サイズ等倍通信機能を無効と見倣す。
【００１６】
従って、ファクシミリ装置が独自モードの設定により大サイズ等倍通信機能を有していても、ユーザによっては当該大サイズ等倍通信機能を必要とせず、元々、対応する規約外サイズ記録紙をセットしていない場合には、このような状況を記録紙に関するユーザ設定の記録紙情報として参照して大サイズ等倍通信機能を無効と見倣すことで、例えば、大サイズ等倍通信機能があるものとして等倍サイズで画像データを送信してしまうことで送信先ファクシミリ装置で代行受信のまま該当するサイズの記録紙がセットされるまで印刷出力待機状態となってしまうような不具合を回避できる。この場合、送信先ファクシミリ装置では等倍サイズでの印刷出力は不可であり、縮小印刷等の対応となるが、ユーザ設定に基づくものであり、特に支障はない。
【００１７】
請求項６記載の発明は、請求項４又は５記載のファクシミリ装置において、前記相手機能力判定手段は、前記識別情報に基づき大サイズ等倍通信機能があると判定しても、記録紙情報として規約外サイズ記録紙のセットがユーザ設定されている記録紙情報を受信した場合において、当該規約外サイズ記録紙の紙なし発生時には紙なし発生に対するユーザ設定による記録紙情報に応じて大サイズ等倍通信機能を有効又は無効と見倣す。
【００１８】
従って、ファクシミリ装置が独自モードの設定により大サイズ等倍通信機能を有していても、例えば、ユーザによっては当該大サイズ等倍通信機能を必要とするものの、対応する規約外サイズ記録紙が紙なしの場合には印刷出力を優先させたいために大サイズ等倍通信機能の維持を必要としない場合には、このような状況を記録紙に関するユーザ設定の記録紙情報として参照して大サイズ等倍通信機能を無効と見倣すことで、規約外サイズ記録紙の紙なし発生時に大サイズ等倍通信機能が維持されているものとして等倍サイズで画像データを送信してしまうことで送信先ファクシミリ装置で代行受信のまま該当するサイズの記録紙が補充されるまで印刷出力待機状態となってしまうような不具合を回避できる。この場合、送信先ファクシミリ装置では紙なし以降は等倍サイズでの印刷出力は不可であり、縮小印刷等の対応となるが、印刷出力を優先させたいというユーザ設定に基づくものであり、特に支障はない。
【００１９】
請求項７記載の発明は、請求項１ないし６の何れか一記載のファクシミリ装置において、前記スキャナにより読取られた画像データを縮小する画像データ縮小手段と、前記規約外サイズ原稿の読取りによるファクシミリ送信に際して前記相手機能力判定手段により当該規約外サイズ原稿に対する大サイズ等倍通信機能がないと判定された場合にはファクシミリ通信規約で定められた規約最大サイズ幅以下となるように前記画像データを前記画像データ縮小手段により縮小して前記符号化手段により作成された符号化データを送信先ファクシミリ装置に対して送信させる大サイズ縮小送信手段と、を備える。
【００２０】
従って、従来機種や他メーカ機種のように独自モードを有しない機種或いは独自モードを必要としないユーザ設定がなされている機種との間では、大サイズ等倍通信機能は不可能であっても、ファクシミリ通信規約において送信可能な規約最大サイズ幅以下に縮小して送信させることで、ファクシミリ送受信が可能な上に、縮小により対処しているので、画像欠落や画像分割のない送信画像全体像を再現することができる。
【００２１】
請求項８記載の発明は、請求項１ないし７の何れか一記載のファクシミリ装置において、ファクシミリ通信規約で定められた規約最大サイズ幅がＡ３サイズ幅であり、規約最大サイズ幅を超える規約外サイズがＢ３サイズ又はＡ２サイズである。
【００２２】
従って、現行のファクシミリ通信規約において、等倍サイズで送信不可なＡ２又はＢ３サイズの原稿に関して、独自モードにより大サイズ等倍通信機能が設定された機種間では等倍送受信が可能となる。
【００２３】
これらの発明は、以下のプログラム、或いは、記憶媒体に格納されたプログラムをコンピュータに実行させることによっても実現可能である。
【００２４】
即ち、請求項９記載の発明のプログラムは、ファクシミリ通信規約で定められた規約最大サイズ幅を超える原稿幅の規約外サイズ原稿の読取り可能なスキャナと、前記規約外サイズ原稿に対応する規約外サイズ記録紙に対して記録可能なプリンタと、前記スキャナにより読取られた原稿の画像データに基づき送信先ファクシミリ装置に対して送信するための符号化データを作成する符号化手段とを有するファクシミリ装置が備えるコンピュータにインストールされ、前記コンピュータに、ファクシミリ送信に際して送信先ファクシミリ装置から送信されてくる識別情報に基づき当該送信先ファクシミリ装置に前記規約外サイズ原稿に対する大サイズ等倍通信機能があるか否かを判定する相手機能力判定機能と、ファクシミリ送信に際して読取り原稿の原稿幅を判定する原稿幅判定機能と、前記規約外サイズ原稿の読取りによるファクシミリ送信に際して前記相手機能力判定機能により当該規約外サイズ原稿に対する大サイズ等倍通信機能があると判定された場合には前記符号化手段により作成された符号化データを等倍サイズのまま送信先ファクシミリ装置に対して送信させる大サイズ等倍送信機能と、を実行させる。
【００２５】
請求項１０記載の発明は、請求項９記載のプログラムにおいて、前記識別情報は、非標準機能識別信号ＮＳＦ（Ｎｏｎ−Ｓｔａｎｄａｒｄ　Ｆａｃｉｌｉｔｉｅｓ）である。
【００２６】
請求項１１記載の発明は、請求項９又は１０記載のプログラムにおいて、ファクシミリ送信に際して送信元ファクシミリ装置に対して送信した識別情報に基づき当該送信元ファクシミリ装置において前記規約外サイズ原稿に対する大サイズ等倍通信機能があると判定されて前記大サイズ等倍送信機能により送信された等倍サイズの符号化データを受信した場合には当該規約外サイズ原稿に対応するサイズ以上の規約外サイズ記録紙を選択させる記録紙選択機能と、この記録紙選択機能により選択された規約外サイズ記録紙に対して受信した符号化データに基づき前記プリンタに等倍サイズのまま印刷を行わせる大サイズ等倍印刷機能と、を備える。
【００２７】
請求項１２記載の発明は、請求項９ないし１１の何れか一記載のプログラムにおいて、前記相手機能力判定機能は、当該送信先ファクシミリ装置においてセットされる記録紙に関するユーザ設定の記録紙情報を通信プロトコルを通じて参照して規約外サイズ原稿に対する大サイズ等倍通信機能が有効か否かを判定する。
【００２８】
請求項１３記載の発明は、請求項１２記載のプログラムにおいて、前記相手機能力判定機能は、前記識別情報に基づき大サイズ等倍通信機能があると判定しても、記録紙情報として規約外サイズ記録紙のセットがユーザ設定されていない記録紙情報を受信した場合には当該大サイズ等倍通信機能を無効と見倣す。
【００２９】
請求項１４記載の発明は、請求項１２又は１３記載のプログラムにおいて、前記相手機能力判定機能は、前記識別情報に基づき大サイズ等倍通信機能があると判定しても、記録紙情報として規約外サイズ記録紙のセットがユーザ設定されている記録紙情報を受信した場合において、当該規約外サイズ記録紙の紙なし発生時には紙なし発生に対するユーザ設定による記録紙情報に応じて大サイズ等倍通信機能を有効又は無効と見倣す。
【００３０】
請求項１５記載の発明は、請求項９ないし１４の何れか一記載のプログラムにおいて、前記規約外サイズ原稿の読取りによるファクシミリ送信に際して前記相手機能力判定機能により当該規約外サイズ原稿に対する大サイズ等倍通信機能がないと判定された場合にはファクシミリ通信規約で定められた規約最大サイズ幅以下となるように前記画像データを画像データ縮小手段により縮小させて前記符号化手段により作成された符号化データを送信先ファクシミリ装置に対して送信させる大サイズ縮小送信機能を前記コンピュータに実行させる。
【００３１】
請求項１６記載の発明のコンピュータ読取り可能な記憶媒体は、請求項９ないし１５の何れか一記載のプログラムを格納している。
【００３２】
【発明の実施の形態】
本発明の一実施の形態を図面に基づいて説明する。
【００３３】
図１は、本実施の形態のファクシミリ装置を示す概略構成図である。本実施の形態のファクシミリ装置は、コピー／プリント／ファックスの機能を持たせた複合機として構成されており、基本的には、スキャナ１とプリンタ２とを備えている。
【００３４】
スキャナ１は、例えばＡＤＦ（自動原稿搬送装置）３を備えるタイプとされている。このＡＤＦ３は原稿載置台４、反転トレイ５、駆動モータ６等を備え、送信原稿をコンタクトガラス７に対して搬送・排紙させる処理を行う。このようなＡＤＦ３はコンタクトガラス７に向けて搬送される原稿の幅サイズ（主走査方向の長さ）を検出するためのセンサ（図示せず）を備えており、このセンサ出力に基づき後述するＣＰＵは読取ろうとしている原稿幅を判断できる構成とされている。スキャナ１自体は、キャリッジ（図示せず）上に露光ランプ８とミラー群９を備えた走査系１０と受光部（結像レンズ、受光素子としてのＣＣＤ、ＣＣＤ出力を処理する回路基板等）１１とスキャナ駆動モータ１２とを備え、ＡＤＦ３を用いて原稿を搬送するシートスルー方式とコンタクトガラス７上に載置された原稿を走査するスキャナ移動方式との２方式に対応する読み取りを行う。もっとも、ファクシミリ送信に際しては、シートスルー方式が用いられる。
【００３５】
このようなスキャナ１は、ファクシミリ通信規約なるＣＣＩＴＴ　Ｔ３０により定められている規約最大サイズ幅であるＡ３サイズ幅を超える原稿幅として、Ａ２サイズ幅やＢ３サイズ幅の幅広原稿の読取りが可能な大きさに構成されている。即ち、送信原稿としてＡ２サイズやＢ３サイズといった規約外サイズ原稿を取り扱えるスキャナ１とされている。
【００３６】
また、プリンタ２は電子写真方式を利用したレーザプリンタして構成されている。即ち、記録紙を排紙する機内排紙部２１と、原稿画像データ等の画像データに基づき駆動される半導体レーザ２２からのレーザ光をポリゴンモータ２３により高速回転駆動されながら反射するポリゴンミラー２４と、レーザ書込みによる静電潜像が形成されるドラム状の感光体２５と、レジストローラ２６と、記録紙を手差しで給紙する場合に開放する手差しトレイ２７と、記録紙上のトナーを記録紙に定着させるための定着ユニット２８と、第１の給紙カセット２９と第２の給紙カセット３０に収納された記録紙を給紙・搬送する給紙コロ３１と、給紙コロ３１により給紙された記録紙を感光体２５側に向けて搬送する搬送コロ３２と、排出記録紙を直接排紙する際に開く排紙カバー３３と、排紙カバー３３若しくは機内排紙部２１のどちらかに記録紙を排出させるかを切換える切換え手段３４と、記録紙を機内排紙部２１に搬送する搬送コロ３５等を備える。感光体２５周りには帯電、現像等の電子写真プロセス部材が適宜配設されているが、周知の技術であるため、図示及び説明を省略する。
【００３７】
ここに、本実施の形態のプリンタ２では、スキャナ１側と同様に、記録紙として、Ａ２サイズやＢ３サイズといった規約外サイズ記録紙までの記録が可能とされている。よって、給紙カセット２９，３０にはＡ４サイズ等の通常サイズの記録紙はもちろん、Ａ２サイズやＢ３サイズの記録紙のセットも可能とされている。給紙カセット２９，３０にセットされている記録紙のサイズは周知のように、記録紙のサイズを表す凹凸やマーク等によってユーザ設定可能であり、これらの凹凸やマークを検出するセンサからのセンサ出力に基づき後述するＣＰＵがそのサイズを判断できるように構成されている。
【００３８】
次に、このようなファクシミリ装置（複合機）のハードウェア構成を図２に示すブロック図を参照して説明する。本実施の形態のファクシミリ装置は、例えば、Ｇ３／Ｇ４対応機種であり、ＣＰＵ４１はＲＯＭ４２及びＲＡＭ４３とともにマイクロコンピュータを構成し、当該ファクシミリ装置の各部の制御処理、ファクシミリ伝送制御手順処理などの各種制御処理を受け持つ。ＲＯＭ４２にはＣＰＵ４１が実行する制御処理プログラム、処理プログラムが格納されている。即ち、本実施の形態では、ＲＯＭ４２に後述するような各種機能を実現するためのプログラムが格納されており、このＲＯＭ４２がプログラムを記憶した記憶媒体として機能している。このため、本実施の形態では、ＲＯＭ４２が例えばＥＥＰＲＯＭやフラッシュメモリにより構成され、ＲＯＭ４２に記憶されているプログラムが書換え自在とされている。なお、特に図示しないが、ネットワーク経由でプログラムをダウンロードさせる場合であれば、ネットワークインタフェースを付加すればよい。ＲＡＭ４３はワークエリアとして機能するもので、各種情報を書換え自在に格納する。
【００３９】
操作表示部４４はスキャナ１上面等に設けられ、装置の動作状態を表示するとともにユーザ（オペレータ）が各種操作を行うためのものである。
【００４０】
画像拡大縮小部４５は画像データ縮小手段として機能するもので、スキャナ１により読取られた画像データを予め指定された倍率で拡大又は縮小（等倍を含む）する処理を行って符号化復号化部４６に出力する。符号化復号化部４６は、符号化手段として機能するもので、送信する画情報をデータ圧縮（符号化圧縮）するとともに、受信した画情報を元の画情報に復元（復号化）するものである。画情報蓄積部４７は符号化圧縮された状態の多数の画情報を記憶するものである。通信制御部４８に接続されたモデム４９はＧ３／Ｇ４のモデム機能を実現するものであり、伝送制御手順をやり取りするための低速モデム機能と、主に、画情報をやり取りするための高速モデム機能とを備えている。モデム４９に接続された網制御部５０は当該ファクシミリ装置を公衆回線網（ＰＳＴＮ）に接続するためのものである。
【００４１】
これらの構成要素は内部バス５１に接続されており、これらの各構成要素間でのデータのやり取りは、主としてこの内部バス５１を介して行われる。なお、網制御部５０とモデム４９との間のデータのやり取りは直接行われる。
【００４２】
このような基本構成において、図３にファクシミリフレーム構成例を示す。基本フレーム構成は、ＩＳＯの規定するハイレベルデータリンク制御手順（ＨＤＬＣ）に準拠しており、図３はその一例を示す構成例である。このうち、ファクシミリ情報フィールド（ＦＩＦ）は、ＦＩＦ後にファクシミリ手順を明らかにするための付加的な８ビット単位の情報の送出であり、この情報は、デジタル識別信号ＤＩＳ（Ｄｉｇｉｔａｌ　Ｉｄｅｎｔｉｆｉｃａｔｉｏｎ　Ｓｉｇｎａｌ）、デジタル命令信号ＤＣＳ（Ｄｉｇｉｔａｌ　Ｃｏｍａｎｄ　Ｓｉｇｎａｌ）、デジタル送信命令信号ＤＴＣ（Ｄｉｇｉｔａｌ　Ｔｒａｎｓｍｉｔ　Ｓｉｇｎａｌ）、被呼端末識別信号ＣＳＩ（Ｃａｌｌｅｄ　Ｓｕｂｓｃｒｉｂｅｒ　Ｉｄｅｎｔｉｆｉｃａｔｉｏｎ）、発呼端末識別信号ＣＩＧ（Ｃａｌｌｉｎｇ　Ｓｕｂｓｃｒｉｂｅｒ　Ｉｄｅｎｔｉｆｉｃａｔｉｏｎ）、送信端末識別信号ＴＳＩ（Ｔｒａｎｓｍｉｔｔｉｎｇ　Ｓｕｂｓｃｒｉｂｅｒ　Ｉｄｅｎｔｉｆｉｃａｔｉｏｎ）、非標準機能命令信号ＮＳＣ（Ｎｏｎ−Ｓｔａｎｄａｒｄ　Ｆａｃｉｌｉｔｉｅｓ　Ｃｏｍｍａｎｄ）、非標準機能識別信号ＮＳＦ（Ｎｏｎ−Ｓｔａｎｄａｒｄ　Ｆａｃｉｌｉｔｉｅｓ）、非標準機能設定信号ＮＳＳ（Ｎｏｎ−Ｓｔａｎｄａｒｄ　Ｆａｃｉｌｉｔｉｅｓ　Ｓｅｔ−ｕｐ）の情報の規定からなっている。このファクシミリ情報フィールド（ＦＩＦ）を利用することにより、端末識別情報（グループ、速度、線密度等）や端末動作指示情報（グループ、速度、線密度等）を設定・認識可能とされている。特に、Ａ２／Ｂ３サイズ対応の本実施の形態のファクシミリ装置では、独自モードとしてＡ２／Ｂ３サイズの画像に関して等倍通信機能を備えることが非標準機能識別信号ＮＳＦ中に設定されている。より具体的には、デジタル識別信号ＤＩＳとしてはファクシミリ通信規約ＣＣＩＴＴ　Ｔ３０に従い標準モードとして通信可能最大幅がＡ３サイズ幅の如く規定されているのに対し、本実施の形態のファクシミリ装置の非標準機能識別信号ＮＳＦ中に通信可能最大幅がＡ２／Ｂ３サイズ幅の如く規定されている。
【００４３】
次に、送信元（発呼側）のファクシミリ装置が送信先（被呼側）を指定して発呼し、回線接続された場合の基本的なファクシミリ通信の伝送フェーズを図４に示す。ファクシミリ通信の発呼から切断までの段階は、ＣＣＩＴＴ　Ｔ３０においてフェーズＡ〜Ｅに分類されている。
【００４４】
まず、送信元（発呼側）のファクシミリ装置が回線に接続されると、通信制御部４８／モデム４９／網制御部５０で通信要求信号が検知される。そして、ファクシミリ通信規約に従い送信元のファクシミリ装置から非音声端末であることを示すＣＮＧ信号（発呼トーン）が３秒間の休止期間を隔てて断続的に入力される。これに応じて送信先（被呼側）のファクシミリ装置では、被呼局識別信号ＣＥＤを送出する。この被呼局識別信号ＣＥＤを送信元のファクシミリ装置が検知すると、呼の設定及び回線確立のシーケンスであるプロトコルのフェーズＡが完了し、端末や伝送路等の状態確認及び端末制御のためのシーケンスであるフェーズＢに移行する。
【００４５】
このフェーズＢは、前述したようなファクシミリ情報フィールド（ＦＩＦ）を持つフレームを利用することで、端末（ファクシミリ装置）相互の機能の識別、選択した機能の設定、受信可能状態の確認等を実行するためのシーケンスである。このフェーズＢでは、送信元のファクシミリ装置から送信元に関する情報が送信されるとともに、送信先のファクシミリ装置から送信先に関する情報が送信され、送信元及び送信先のファクシミリ装置に関する情報が交換される。また、送信先ファクシミリ装置では、フェーズＢの期間中に画像データを受信するための準備を行い、この準備が完了すると、受信準備確認信号ＣＦＲを送信する。これにより、フェーズＢのシーケンスが完了し、フェーズＣに移行する。前述したように、本実施の形態のファクシミリ装置のように独自モードとしてＡ２／Ｂ３サイズ対応の大サイズ等倍通信機能を有するか否かは、このフェーズＢにおける非標準機能識別信号ＮＳＦや非標準機能設定信号ＮＳＳを送受信に伴い識別信号として利用することで後述するようにＣＰＵ４１により判定される。この判定処理が相手機能力判定手段又は相手機能力判定機能として実行される。
【００４６】
フェーズＣでは画像データの送受信が実行される。送信元ファクシミリ装置では、予め原稿画像をスキャナ１で読取りデジタルデータに変換後、符号化復号化部４６によって符号化して１ページ分毎に送信する。なお、この画像データ（符号化データ）は標準モードであればファクシミリ通信規約に従い主走査方向のサイズ幅がＡ３，Ｂ４又はＡ４の何れかのサイズ幅に対応しており、その主走査方向の幅サイズはフェーズＢにおいて送信元ファクシミリ装置から送信先ファクシミリ装置に伝達される。一方、大サイズの送信原稿に関して、本実施の形態のように独自モードである大サイズ等倍通信機能を利用できる場合には、主走査方向のサイズ幅はＡ２又はＢ３の何れかのサイズ幅に対応しており、その主走査方向の幅サイズはフェーズＢにおいて送信元ファクシミリ装置から非標準機能設定信号ＮＳＳにより送信先ファクシミリ装置に伝達される。送信先ファクシミリ装置では、受信した符号化データを画情報蓄積部４７に順次格納する。
【００４７】
イメージデータの送信が完了すると、メッセージ終了とメッセージ受信確認等を行うフェーズＤに移行し、送信元ファクシミリ装置では手順完了信号ＥＯＰを送信する。送信先ファクシミリ装置では手順完了信号ＥＯＰを受信すると、メッセージ確認信号ＭＣＰを送信する。これにより、ライン制御信号ＤＣＮを送信するフェーズＥを経て、呼が切断され、通信を終了する。
【００４８】
このような構成において、本実施の形態のファクシミリ装置のスキャナ１で原稿画像を読取って送信先ファクシミリ装置に対して送信するまでの間にＣＰＵ４１により実行される画像拡大縮小部４５に対する制御の概略を図５に示すフローチャートを参照して説明する。まず、スキャナ１における原稿画像の読取り動作において、その主走査方向の原稿幅がセンサにより検知され、そのセンサ出力に基づきＣＰＵ４１は原稿幅を判定できる。そして、その原稿幅がどのような原稿幅であるかを比較判定する（ステップＳ１，Ｓ２）。これらのステップＳ１，Ｓ２の処理が原稿幅判定手段又は原稿幅判定機能として実行される。
【００４９】
この原稿幅判定において、主走査方向の原稿幅がＡ３サイズ幅以下であれば、即ち、最大規約サイズ幅内に収まる場合には（Ｓ１のＮ）、デジタル識別信号ＤＩＳにより規定される標準プロトコルに従い符号化データを送信させる（Ｓ３）。このステップＳ３の処理は従来通りの処理である。
【００５０】
一方、原稿幅判定において、主走査方向の原稿幅がＡ３サイズ幅よりも大きければ、即ち、規約サイズ外原稿の場合には（Ｓ１のＹ）、その原稿幅がＢ３サイズ幅であるかＡ２サイズ幅であるかを判定する（Ｓ２）。主走査方向の原稿幅がＢ３サイズ幅の場合には（Ｓ２のＹ）、送信先ファクシミリ装置から送信された非標準機能識別信号ＮＳＦに基づき当該送信先ファクシミリ装置がＢ３サイズ幅に関して大サイズ等倍送信機能を有するか否かを判定する（Ｓ４）。同様に、主走査方向の原稿幅がＡ２サイズ幅の場合には（Ｓ２のＮ）、送信先ファクシミリ装置から送信された非標準機能識別信号ＮＳＦに基づき当該送信先ファクシミリ装置がＡ２サイズ幅に関して大サイズ等倍送信機能を有するか否かを判定する（Ｓ５）。これらのステップＳ４，Ｓ５の処理が相手機能力判定手段又は相手機能力判定機能として実行される。
【００５１】
これらの判定の結果、当該送信先ファクシミリ装置がＢ３サイズ幅やＡ２サイズ幅に関して大サイズ等倍送信機能を有すると判定した場合には（Ｓ４のＹ又はＳ５のＹ）、大サイズ等倍で符号化データを送信させる（Ｓ６）。即ち、符号化復号化部４６により作成された符号化データを等倍サイズのまま送信先ファクシミリ装置に対して送信させるもので、このステップＳ６の処理が大サイズ等倍送信手段又は大サイズ等倍送信機能として実行される。
【００５２】
一方、これらの判定の結果、当該送信先ファクシミリ装置がＢ３サイズ幅及びＡ２サイズ幅に関して大サイズ等倍送信機能を有しないと判定した場合には（Ｓ４のＮ及びＳ５のＮ）、規約最大サイズ幅であるＡ３サイズ幅以下となるように画像拡大縮小部４５により画像データを縮小させた後で符号化復号化部４６で符号化したデータとして送信させる（Ｓ７）。このステップＳ７の処理が大サイズ縮小送信手段又は大サイズ縮小送信機能として実行される。
【００５３】
また、送信先ファクシミリ装置での印刷処理までの概略制御例を図６に示す。送信先（受信側）ファクシミリ装置では、符号化された画像データを受信した場合、その画像データとともに送信されてくる原稿幅情報に基づきそのデータ幅（主走査方向の長さ）を判定する（Ｓ１１，Ｓ１２）。
【００５４】
このデータ幅の判定の結果、Ａ３サイズ幅以下であれば（Ｓ１１のＮ）、そのサイズ幅に対応するサイズ幅の記録紙を選択し（Ｓ１３）、当該記録紙に対してプリンタ２により印刷動作を行わせる（Ｓ１４）。この場合、ステップＳ３の送信処理に基づく場合やステップＳ７の送信処理に基づく場合があり、等倍印刷の場合もあれば縮小印刷の場合もある。
【００５５】
一方、データ幅判定において、主走査方向のデータ幅がＡ３サイズ幅よりも大きい場合において（Ｓ１１のＹ）、Ｂ３サイズ幅であれば（Ｓ１２のＹ）、Ｂ３サイズ幅の記録紙が収納されている給紙カセット２９又は３０を選択し（Ｓ１５）、当該記録紙に対してプリンタ２により印刷動作を行わせる（Ｓ１６）。この場合、ステップＳ６の送信処理に基づく場合であり、等倍印刷となる。Ａ２サイズ幅であれば（Ｓ１２のＮ）、Ａ２サイズ幅の記録紙が収納されている給紙カセット２９又は３０を選択し（Ｓ１７）、当該記録紙に対してプリンタ２により印刷動作を行わせる（Ｓ１８）。この場合も、ステップＳ６の送信処理に基づく場合であり、等倍印刷となる。これらのステップＳ１５又はＳ１７の処理が記録紙選択手段又は記録紙選択機能として実行され、ステップＳ１６又はＳ１８の処理が大サイズ等倍印刷手段又は大サイズ等倍印刷機能として実行される。
【００５６】
なお、より詳細な制御として、Ｂ３サイズ幅の場合において（Ｓ１２のＹ）、Ｂ３サイズの記録紙がなく、Ａ２サイズの記録紙が存在する場合には、Ａ２サイズの記録紙にＢ３サイズ幅の画像を等倍印刷させるようにしてもよい。或いは、対応するサイズの記録紙がセット又は補充されるまで、印刷処理を延期させる代行受信としてもよい。
【００５７】
従って、本実施の形態によれば、ファクシミリ通信規約（ＣＣＩＴＴ　Ｔ３０）で定められた規約最大サイズ幅（Ａ３サイズ幅）を超える原稿幅（Ｂ３サイズ幅やＡ２サイズ幅）の規約外サイズ原稿であっても、独自モードとして大サイズ等倍通信機能が設定された機種同士であれば、送信先（受信側）ファクシミリ装置が当該大サイズ等倍通信機能を有することを識別情報である非標準機能識別信号ＮＳＦを利用して確認することで、大サイズ原稿であることを意識した特別な操作を要せず通常サイズの原稿の場合と同様の操作のみで、等倍サイズのまま画像データを送信させることができる。特に、独自モードに関してはＣＣＩＴＴ　Ｔ３０に基づき非標準機能識別信号ＮＳＦを利用して送信先ファクシミリ装置が大サイズ等倍通信機能を有するか否かを確認しているので、従来機種や他メーカ機種のように独自モードを有しない機種との間では大サイズ等倍通信機能は不可能であっても通常通り標準のデジタル識別信号ＤＩＳに基づくファクシミリ送受信が可能となる。そして、独自モードとして大サイズ等倍通信機能が設定された機種同士であれば、ファクシミリ通信規約で定められた規約最大サイズ幅（Ａサイズ幅）を超える原稿幅の規約外サイズ原稿対応の等倍サイズのデータを受信した場合には、対応するサイズ（Ｂ３サイズ又はＡ２サイズ）の規約外サイズ記録紙上に等倍サイズのまま印刷を行わせることで、画像分割や画像欠落や画像縮小がなく、送信原稿の内容を忠実に再現することができる。
【００５８】
ところで、本実施の形態のように、ファクシミリ装置が独自モードの設定により大サイズ等倍通信機能を有していても、ユーザによってはＢ３サイズ、Ａ２サイズの記録紙はかなり大きいため、当該大サイズ等倍通信機能を必要とせず、元々、対応する規約外サイズ記録紙を給紙カセット２９又は３０にセットしていないようなケースもある。このようなケースでも非標準機能識別信号ＮＳＦなる識別情報のみに基づき送信先（受信側）ファクシミリ装置が大サイズ等倍通信機能を有すると判定し、大サイズ原稿について等倍サイズで画像データを送信してしまうことで送信先ファクシミリ装置で代行受信のまま該当するサイズの記録紙がセットされるまで印刷出力待機状態となってしまうような事態が生ずる。また、例えば、ユーザによっては基本的には大サイズ等倍通信機能を必要とするものの、対応する規約外サイズ記録紙が紙なしの場合には印刷出力を優先させたいために大サイズ等倍通信機能の維持を必要としないケースもある。このようなケースでも、規約外サイズ記録紙の紙なし発生時でも大サイズ等倍通信機能が常に維持されていると、等倍サイズで画像データが送信され送信先ファクシミリ装置で代行受信のまま該当するサイズの記録紙が補充されるまで印刷出力待機状態となってしまうような事態も生じ得る。
【００５９】
本実施の形態では、このような点も考慮して、元々独自モード設定として大サイズ等倍通信機能を有するファクシミリ装置であっても、当該大サイズ等倍通信機能を必要としない旨をユーザが任意に設定して相手機に通知させ得るプロトコル宣言処理の機能が付加されている。図７はこのようなプロトコル宣言処理の概略を示すフローチャートである。まず、基本的に、元々独自モード設定として大サイズ等倍通信機能を有していても、給紙カセット２９，３０に関してＡ２サイズ又はＢ３サイズのサイズ設定がなければ（Ｓ２１のＮ）、記録紙情報としては規約外サイズ記録紙のセットがユーザ設定されていないものとし、大サイズ等倍通信機能なしの宣言と見倣す（Ｓ２２）。また、給紙カセット２９，３０に関してＡ２サイズ又はＢ３サイズのサイズ設定がなされている場合において（Ｓ２１のＹ）、そのサイズの記録紙が現実に存在する場合には（Ｓ２２のＹ）、基本的には、大サイズ等倍通信機能ありの宣言と見倣す（Ｓ２４）が、そのサイズの記録紙が紙なしになった場合には（Ｓ２３のＮ）、ディップスイッチ等のスイッチ設定に応じて紙なしでも大サイズ等倍通信機能を維持させるか（Ｓ２５のＹ）、紙なしであれば大サイズ等倍通信機能なしの宣言とするか（Ｓ２５のＮ）の何れかに分かれる。
【００６０】
このようなプロトコル宣言処理による宣言内容は、記録紙に関するユーザ設定の記録紙情報として非標準機能識別信号ＮＳＦとともに送信元（送信側）ファクシミリ装置に送られ、送信元（送信側）ファクシミリ装置において非標準機能識別信号ＮＳＦに加えてこのような記録紙情報（宣言）を参照することにより、大サイズ等倍通信機能が有効か否かに供される。
【００６１】
この結果、前述した基本動作において、非標準機能識別信号ＮＳＦに基づき送信先ファクシミリ装置が大サイズ等倍通信機能があると判定しても、当該送信先ファクシミリ装置の記録紙情報として規約外サイズ記録紙（Ｂ３又はＡ２サイズ）のセットがユーザ設定されていない記録紙情報を受信した場合には当該大サイズ等倍通信機能は無効と見倣され、大サイズ等倍サイズでの送信処理（Ｓ５）は行わせず、Ａ３サイズ幅以下に縮小して送信させる処理（Ｓ７）を行わせる。
【００６２】
このように、送信先ファクシミリ装置が独自モードの設定により大サイズ等倍通信機能を有していても、ユーザによっては当該大サイズ等倍通信機能を必要とせず、元々、対応する規約外サイズ記録紙（Ｂ３又はＡ２）をセットしていない場合には、このような状況を記録紙に関するユーザ設定の記録紙情報として参照して大サイズ等倍通信機能を無効と見倣すことで、例えば、大サイズ等倍通信機能があるものとして等倍サイズで画像データを送信してしまうことで送信先ファクシミリ装置で代行受信のまま該当するサイズの記録紙がセットされるまで印刷出力待機状態となってしまうような不具合を回避できる。この場合、送信先ファクシミリ装置では大サイズ原稿に関して等倍サイズでの印刷出力は不可であり、縮小印刷等の対応となるが、元々ユーザ設定に基づくものであり、特に支障はない。
【００６３】
同様に、前述した基本動作において、非標準機能識別信号ＮＳＦに基づき送信先ファクシミリ装置が大サイズ等倍通信機能があると判定しても、当該送信先ファクシミリ装置の記録紙情報として規約外サイズ記録紙（Ｂ３又はＡ２）のセットがユーザ設定されている記録紙情報を受信した場合において、当該規約外サイズ記録紙（Ｂ３又はＡ２）の紙なし発生時には印刷出力を優先させたいために大サイズ等倍通信機能の維持を必要としない場合には（Ｓ２５のＮ）、このような状況を記録紙に関するユーザ設定の記録紙情報として参照して大サイズ等倍通信機能を無効と見倣すことで、規約外サイズ記録紙の紙なし発生時に大サイズ等倍通信機能が維持されているものとして等倍サイズで画像データを送信してしまうことで送信先ファクシミリ装置で代行受信のまま該当するサイズの記録紙が補充されるまで印刷出力待機状態となってしまうような不具合を回避できる。この場合、送信先ファクシミリ装置では紙なし以降は等倍サイズでの印刷出力は不可であり、縮小印刷等の対応となるが、印刷出力を優先させたいというユーザの意思を反映させたユーザ設定に基づくものであり、特に支障はない。
【００６４】
【発明の効果】
請求項１，９，１６記載の発明によれば、ファクシミリ通信規約で定められた規約最大サイズ幅を超える原稿幅の規約外サイズ原稿であっても、独自モードとして大サイズ等倍通信機能が設定された機種同士であれば、送信先が当該大サイズ等倍通信機能を有することを識別情報を利用して相手機能力判定手段により確認することで、大サイズ原稿であることを意識した特別な操作を要せず通常サイズの原稿の場合と同様の操作のみで、等倍サイズのまま画像データを送信させることができる。
【００６５】
請求項２，１０，１６記載の発明は、請求項１，９記載の発明において、独自モードに関してはＣＣＩＴＴ　Ｔ３０に基づき非標準機能識別信号ＮＳＦを利用して送信先ファクシミリ装置が大サイズ等倍通信機能を有するか否かを確認しているので、従来機種や他メーカ機種のように独自モードを有しない機種との間では大サイズ等倍通信機能は不可能であっても通常通り標準のデジタル識別信号ＤＩＳに基づくファクシミリ送受信を行うことができる。
【００６６】
請求項３，１１，１６記載の発明は、請求項１，２，９又は１０記載の発明において、独自モードとして大サイズ等倍通信機能が設定された機種同士であれば、ファクシミリ通信規約で定められた規約最大サイズ幅を超える原稿幅の規約外サイズ原稿対応の等倍サイズのデータを受信した場合には、対応するサイズの規約外サイズ記録紙上に等倍サイズのまま印刷を行わせることで、画像分割や画像欠落や画像縮小がなく、送信原稿の内容を忠実に再現することができる。
【００６７】
請求項４，１２，１６記載の発明は、請求項１ないし３、９ないし１１の何れか一記載の発明において、ファクシミリ装置が独自モードの設定により大サイズ等倍通信機能を有していても、ユーザによっては当該大サイズ等倍通信機能を必要とせず、元々、対応する規約外サイズ記録紙をセットしていないようなケースもあるが、このような状況を記録紙に関するユーザ設定の記録紙情報として参照して大サイズ等倍通信機能が有効か否かを判定することで、識別情報のみによる場合よりも実使用に応じた対応を採ることができる。
【００６８】
請求項５，１３，１６記載の発明は、請求項４，１２記載の発明において、ファクシミリ装置が独自モードの設定により大サイズ等倍通信機能を有していても、ユーザによっては当該大サイズ等倍通信機能を必要とせず、元々、対応する規約外サイズ記録紙をセットしていない場合には、このような状況を記録紙に関するユーザ設定の記録紙情報として参照して大サイズ等倍通信機能を無効と見倣すことで、例えば、大サイズ等倍通信機能があるものとして等倍サイズで画像データを送信してしまうことで送信先ファクシミリ装置で代行受信のまま該当するサイズの記録紙がセットされるまで印刷出力待機状態となってしまうような不具合を回避できる。この場合、送信先ファクシミリ装置では等倍サイズでの印刷出力は不可であり、縮小印刷等の対応となるが、ユーザ設定に基づくものであり、特に支障はない。
【００６９】
請求項６，１４，１６記載の発明は、請求項４，５，１２又は１３記載の発明において、ファクシミリ装置が独自モードの設定により大サイズ等倍通信機能を有していても、例えば、ユーザによっては当該大サイズ等倍通信機能を必要とするものの、対応する規約外サイズ記録紙が紙なしの場合には印刷出力を優先させたいために大サイズ等倍通信機能の維持を必要としない場合には、このような状況を記録紙に関するユーザ設定の記録紙情報として参照して大サイズ等倍通信機能を無効と見倣すことで、規約外サイズ記録紙の紙なし発生時に大サイズ等倍通信機能が維持されているものとして等倍サイズで画像データを送信してしまうことで送信先ファクシミリ装置で代行受信のまま該当するサイズの記録紙が補充されるまで印刷出力待機状態となってしまうような不具合を回避することができる。
【００７０】
請求項７，１５，１６記載の発明は、請求項１ないし６，９ないし１４の何れか一記載の発明において、従来機種や他メーカ機種のように独自モードを有しない機種或いは独自モードを必要としないユーザ設定がなされている機種との間では、大サイズ等倍通信機能は不可能であっても、ファクシミリ通信規約において送信可能な規約最大サイズ幅以下に縮小して送信させることで、ファクシミリ送受信が可能な上に、縮小により対処しているので、画像欠落や画像分割のない送信画像全体像を再現することができる。
【００７１】
請求項８記載の発明は、請求項１ないし７の何れか一記載のファクシミリ装置において、現行のファクシミリ通信規約において、等倍サイズで送信不可なＡ２又はＢ３サイズの原稿に関して、独自モードにより大サイズ等倍通信機能が設定された機種間では等倍送受信が可能となる。
【図面の簡単な説明】
【図１】本発明の一実施の形態を示すファクシミリ装置の概略構成図である。
【図２】そのハードウェア構成を示す概略ブロック図である。
【図３】ファクシミリフレーム構成を示す説明図である。
【図４】ファクシミリ通信の伝送フェーズを示すシーケンス図である。
【図５】等倍・縮小処理に関する制御例を示す概略フローチャートである。
【図６】受信側の制御例を示す概略フローチャートである。
【図７】プロトコル宣言処理例を示す概略フローチャートである。
【符号の説明】
１　　　スキャナ
２　　　プリンタ
４５　　　画像データ縮小手段
４６　　　符号化手段
【図１】
2004032498.tif 000003
【図２】
2004032498.tif 000004
【図３】
2004032498.tif 000005
【図４】
2004032498.tif 000006
【図５】
2004032498.tif 000007
【図６】
2004032498.tif 000008
【図７】
2004032498.tif 000009